(57)【要約】【課題】  カラオケ歌唱を行っている利用者の歌唱姿態及び歌唱音声を録画して公開する際に、当該歌唱映像のインデックス画像として、歌唱者の顔を的確に識別することができる画像を用いる。【解決手段】  任意のカラオケ楽曲を歌唱している利用者の歌唱姿態を撮影する撮影手段２３と、撮影した歌唱姿態とマイクロホン２４から入力された歌唱音声とカラオケ楽曲の演奏音とを同期させて歌唱映像データ４３ｂを作成する歌唱映像作成手段４８と、撮影した歌唱映像データについて歌唱者の顔画像認識を行い、利用者の顔の隠蔽率を演算する顔画像認識手段４９と、利用者の顔の隠蔽率が所定値以下の歌唱映像の中からインデックス画像として抽出するインデックス画像抽出手段５０とを備える。【選択図】  図１
2014017570.tif 000002
【特許請求の範囲】
【請求項１】
カラオケ歌唱を行っている利用者の歌唱姿態及び歌唱音声を録画して公開する際に、当該歌唱映像のインデックス画像を作成するためのシステムであって、撮影手段と、歌唱映像作成手段と、顔画像認識手段と、インデックス画像抽出手段と、を備え、
前記撮影手段は、任意のカラオケ楽曲を歌唱している利用者の歌唱姿態を撮影し、
前記歌唱映像作成手段は、前記撮影した歌唱姿態とマイクロホンから入力された歌唱音声とカラオケ楽曲の演奏音とからなる歌唱映像データを作成し、
前記顔画像認識手段は、前記撮影した歌唱映像データについて歌唱者の顔画像認識を行って、利用者の顔の隠蔽率を演算し、
前記インデックス画像抽出手段は、前記歌唱映像データの中で、利用者の顔の隠蔽率が所定値以下である歌唱姿態の映像をインデックス画像として抽出する、
ことを特徴とするカラオケ歌唱映像のインデックス画像作成システム。
【発明の詳細な説明】
【技術分野】
【０００１】
本発明は、カラオケ歌唱映像のインデックス画像作成システムに関するものであり、詳しくは、カラオケ歌唱を行っている利用者の歌唱姿態及び歌唱音声を録画して公開する際に、当該歌唱映像のインデックス画像を作成するためのシステムに関するものである。
【背景技術】
【０００２】
現在普及しているカラオケシステムでは、カラオケ歌唱を行っている利用者の歌唱姿態及び歌唱音声を録画して、ウェブサイトにアップロードして公開する機能を有しているものがある。この際、録画したカラオケ歌唱映像の内容を容易に把握することができるようにするため、インデックス画像を表示するのが一般的である。
【０００３】
従来、ビデオ映像を投稿して公開する際に、インデックス画像（サムネイル画像）を表示するシステムが種々提案されている（特許文献１参照）。特許文献１に記載されている技術は、ビデオ映像投稿者が投稿したビデオ映像を配信するための映像コンテンツ配信サービスシステムに関する技術である。この映像コンテンツ配信サービスシステムでは、ストリーミングビデオ用の映像コンテンツデータを加工して作成し、サーバにアップロードする。視聴者が端末を起動すると、カテゴリ別に配信回数の順に順序付けられた映像コンテンツ情報が表示される。視聴者が映像コンテンツ情報を選択すると、サーバは選択された映像コンテンツのコンテンツデータをその視聴者の端末にインターネットを介して配信するようになっている。この際、映像コンテンツ情報と共に、インデックス画像（サムネイル画像）が表示される。
【先行技術文献】
【特許文献】
【０００４】
【特許文献１】特開２００４−１８６８３０号公報
【発明の概要】
【発明が解決しようとする課題】
【０００５】
ところで、カラオケ歌唱を行う利用者は、マイクロホンを口に近づけて歌唱を行うのが一般的であり、カラオケ歌唱映像を撮影すると、歌唱者の顔がマイクロホンで隠れてしまう場合がある。そして、歌唱者の顔がマイクロホンで隠れている画像をインデックス画像として表示したのでは、誰が歌唱しているのか判別するのが難しく、インデックス画像を表示している意味が無くなってしまう。
【０００６】
従来のカラオケ歌唱映像の撮影機能を有するカラオケシステムでは、カラオケ楽曲を演奏開始してから所定時間経過後の画像を、一律にインデックス画像としている。したがって、上述したように、インデックス画像から歌唱者を認識することができない場合があり、改善が望まれていた。
【０００７】
なお、特許文献１には、ビデオ映像をデジタルデータ化して、加工、編集し、ストリーミングビデオ用の映像コンテンツデータ（映像データ及び音声データ）及びインデックス画像データを作成することは記載されているが、どのような手法でインデックス画像を作成するかについては、何ら言及されていない。
【０００８】
本発明は、上述した事情に鑑み提案されたもので、カラオケ歌唱を行っている利用者の歌唱姿態及び歌唱音声を録画して公開する際に、当該歌唱映像のインデックス画像として、歌唱者の顔を的確に識別することが可能なインデックス画像を作成するためのシステムを提供することを目的とする。
【課題を解決するための手段】
【０００９】
本発明のカラオケ歌唱映像のインデックス画像作成システムは、上述した目的を達成するため、以下の特徴点を有している。すなわち、本発明のカラオケ歌唱映像のインデックス画像作成システムは、カラオケ歌唱を行っている利用者の歌唱姿態及び歌唱音声を録画して公開する際に、当該歌唱映像のインデックス画像を作成するためのシステムであって、撮影手段と、歌唱映像作成手段と、顔画像認識手段と、インデックス画像抽出手段とを備えたことを特徴とするものである。
【００１０】
撮影手段は、任意のカラオケ楽曲を歌唱している利用者の歌唱姿態を撮影するための手段である。歌唱映像作成手段は、撮影した歌唱姿態とマイクロホンから入力された歌唱音声とカラオケ楽曲の演奏音とからなる歌唱映像データを作成するための手段である。顔画像認識手段は、撮影した歌唱映像データについて歌唱者の顔画像認識を行って、利用者の顔の隠蔽率を演算するための手段である。インデックス画像抽出手段は、歌唱映像データの中で、利用者の顔の隠蔽率が所定値以下である歌唱姿態の映像をインデックス画像として抽出するための手段である。
【００１１】
このような構成からなるカラオケ歌唱映像のインデックス画像作成システムでは、カラオケ歌唱映像の撮影録画モードを選択した利用者がカラオケ楽曲の歌唱を行う際に、撮影手段の機能により、歌唱姿態を撮影し、歌唱映像作成手段の機能により、撮影した歌唱姿態とマイクロホンから入力された歌唱音声とカラオケ楽曲の演奏音とからなる歌唱映像データを作成する。
【００１２】
また、顔画像認識手段の機能により、撮影した歌唱映像データについて歌唱者の顔画像認識を行って、歌唱者の顔の面積に対して、マイクロホン等が映り込んで顔が隠蔽されている面積の割合を演算する。そして、インデックス画像抽出手段の機能により、歌唱映像データの中で、利用者の顔の隠蔽率が所定値以下である歌唱姿態の映像をインデックス画像として抽出する。抽出されたインデックス画像は、歌唱映像データに関連付けて記憶される。
【発明の効果】
【００１３】
本発明のカラオケ歌唱映像のインデックス画像作成システムによれば、撮影した歌唱姿態の中からインデックス画像を抽出する際に、歌唱者の顔の隠蔽率が所定値以下の映像をインデックス画像としている。したがって、カラオケ歌唱を行っている利用者の歌唱姿態及び歌唱音声を録画して公開する際に、歌唱者の顔を的確に識別することが可能なインデックス画像を表示することができる。
【図面の簡単な説明】
【００１４】
【図１】本発明の実施形態に係るカラオケ歌唱映像のインデックス画像作成システムを適用するカラオケ演奏装置のブロック図。
【図２】インデックス画像の作成過程を説明する説明図。
【発明を実施するための形態】
【００１５】
以下、図面を参照して、本発明のカラオケ歌唱映像のインデックス画像作成システム（以下、インデックス画像作成システムと略記する）の実施形態を説明する。図１はインデックス画像作成システムを適用するカラオケ演奏装置のブロック図、図２はインデックス画像の作成過程を説明する説明図である。
【００１６】
本発明の実施形態に係るインデックス画像作成システムは、カラオケ演奏装置１０の構成要素となるもので、カラオケ歌唱を行っている利用者の歌唱姿態及び歌唱音声を録画して公開する際に、当該歌唱映像のインデックスとして使用する適切なインデックス画像を抽出することができる。このインデックス画像作成システムは、撮影手段２３と、歌唱映像作成手段４８と、顔画像認識手段４９と、インデックス画像抽出手段５０とを備えている。
【００１７】
＜カラオケ演奏装置＞
本発明の実施形態に係るカラオケ演奏装置１０は、図１に示すように、カラオケ本体２１、カラオケリモコン装置２２、撮影手段２３、マイクロホン２４、スピーカ２５、ミキシングアンプ２６、表示装置２７を備えている。
【００１８】
＜カラオケリモコン装置＞
カラオケリモコン装置２２は、ユーザインタフェース機能を備えており、カラオケ本体２１の送受信手段４５に対して有線方式又は無線方式によりデータの送受信を行うようになっている。このカラオケリモコン装置２２は、楽曲検索手段２２ａとして機能するプログラム、楽曲索引データベース２２ｂ、利用者ＩＤ取得手段２２ｃとして機能する回路基板及びプログラム、データの送受信を行うための回路基板及びプログラム、フラッシュメモリ等からなる記憶手段（図示せず）を備えている。このカラオケリモコン装置２２に付帯するスイッチ類や、入出力表示部（図示せず）に表示される各種のアイコン等を操作することにより、選曲操作、歌唱映像の撮影指示操作等が行われる。
【００１９】
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、カラオケ演奏装置１０で演奏に供されるカラオケ楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００２０】
＜利用者ＩＤ取得手段＞
利用者ＩＤ取得手段２２ｃは、利用者がカラオケ演奏装置１０を利用する際に、利用者が所持するＩＤ媒体３１から利用者ＩＤを取得するための電子回路及びプログラムからなる。利用者ＩＤ取得手段２２ｃで取得した利用者ＩＤは、ＲＡＭ４３に一時的に記憶され、ログイン利用者管理手段４７で管理される。ＩＤ媒体３１は、例えば、非接触型のＩＤカード、携帯電話、携帯情報端末等からなり、利用者ＩＤを記憶して、利用者ＩＤ取得手段２２ｃとの間でデータの送受信を行うことができるようになっている。利用者ＩＤ取得手段２２ｃで取得した利用者ＩＤは、歌唱映像を公開する際に、利用者を特定するために使用される。
【００２１】
＜撮影手段＞
撮影手段２３は、歌唱者を撮影するための手段で、例えば、主たる構成要素であるビデオカメラと、その付帯装置から構成される。ビデオカメラは、撮像レンズ２３ａ、撮像素子２３ｂ、フォーカシング機構２３ｃ、ズーミング機構２３ｄ、付帯装置としてパン・チルト機構２３ｅを備えている。本実施形態の撮像レンズ２３ａは、複数のレンズ群から構成されるズームレンズからなり、この撮像レンズ２３ａにより、被写体からの光線を撮像素子２３ｂ上に結像させてビデオ信号に変換する。このビデオ信号は、カラオケ本体２１に送信される。
【００２２】
フォーカシング機構２３ｃは、被写体像を撮像素子２３ｂ上に合焦して結像させるための機構であり、オートフォーカス機構を備えていることが好ましい。オートフォーカス機構としては、例えば、適宜な間隔を隔てて設置した２つのセパレートレンズを用いて被写体を撮影し、被写体像を撮像素子２３ｂ上に結像させ、両画像の位相差に基づいて物体距離を検知する方式や、被写体上に赤外光を照射して、被写体からの拡散反射光をレンズで集光し、その結像位置に基づいて物体距離を検知する方式や、撮像素子２３ｂから被写体のコントラスト情報を抽出し、結像状態を直接判定する方式等が知られている。なお、被写界深度の深いレンズからなる固定焦点の撮像レンズ２３ａを用いることによりフォーカシング機構２３ｃを省略してもよい。
【００２３】
ズーミング機構２３ｄは、ビデオカメラの画角を変更するための機構で、広角端から望遠端に至る所定の範囲で連続的に画角を変更できるようになっており、画角の変更を行うために、ズームレンズ群を構成する各レンズを光軸に沿って移動させるための機構を備えている。ズームレンズ群を構成する各レンズを光軸に沿って移動させるための機構は、例えば、レンズを光軸に沿って移動可能に支持する支持機構、及びレンズを光軸に沿って移動させるアクチュエータ等からなる。
【００２４】
なお、ズーミング機構２３ｄは、歌唱者の顔領域の大きさが予め設定した面積とほぼ等しくなるように画角調整を行うための画角調整手段を備えることが好ましい。また、歌唱者が移動した場合であっても、歌唱者の顔領域の大きさが予め設定した面積とほぼ等しくなるような環境に撮影手段２３が設置されている場合には、ズーミング機構２３ｄを省略することができる。さらに、利用者の所望に応じて画角調整を行うようにしてもよい。
【００２５】
パン・チルト機構２３ｅは、ビデオカメラをパン及びチルトさせるための機構であり、互いに直交する２軸方向にそれぞれ回転するパンテーブル及びチルトテーブルと、このパンテーブル及びチルトテーブルを互いに直交する２軸方向にそれぞれ回転駆動するステッピングモータと、ステッピングモータの駆動制御装置とを備えている。
【００２６】
なお、画角及びビデオカメラの向き（撮影方向）を調整するための被写体追従手段を設け、この被写体追従手段の機能により、ズーミング機構２３ｄ及びパン・チルト機構２３ｅを制御して、適正な大きさ及び適正な方向を向いた顔画像を有する歌唱姿態を撮影することが好ましい。
【００２７】
＜カラオケ本体＞
カラオケ本体２１は、中央制御手段４１、ＲＯＭ４２、ＲＡＭ４３、ＨＤＤ４４、送受信手段４５、予約管理手段４６、ログイン利用者管理手段４７、歌唱映像作成手段４８、顔画像認識手段４９、インデックス画像抽出手段５０、撮影データ受信手段５１、Ａ／Ｄコンバータ５２、音楽再生制御手段５３、映像再生制御手段５４を備えている。
【００２８】
＜中央制御手段＞
中央制御手段４１は、カラオケ本体２１を総合的に制御するための手段であり、例えばＣＰＵ及びその周辺機器により構成されており、ＣＰＵ等がＲＯＭ４２等に記憶されたアプリケーションプログラムに従って動作することにより、制御機能を発揮することができるようになっている。
【００２９】
＜ＲＯＭ／ＲＡＭ＞
ＲＯＭ４２は、カラオケ本体２１を構成する各機器を制御するためのアプリケーションプログラムデータや数値データを記憶するための機器で、例えば半導体メモリ等で構成される。また、ＲＡＭ４３は、アプリケーションプログラムや各種データを一時的に記憶する一時記憶領域として機能するもので、例えば半導体メモリ等で構成される。なお、物理的な半導体メモリによりＲＡＭ４３を構成するのではなく、ハードディスク記憶装置等を用いて仮想的なＲＡＭ４３を構成してもよい。本実施形態では、ＲＡＭ４３に、予約待ち行列４３ａ、歌唱映像データ４３ｂが記憶されるようになっている。なお、歌唱映像データ４３ｂにはインデックス画像が含まれている。
【００３０】
＜ＨＤＤ＞
ＨＤＤ４４は、大容量記憶装置として機能するもので、楽曲データベース４４ａ、映像データベース４４ｂが格納されている。なお、ＨＤＤ４４に替えて、あるいはＨＤＤ４４とともに、データを書き替え可能なＤＶＤ等の大容量記憶装置を用いてもよい。
【００３１】
楽曲データベース４４ａは、演奏データ（ＭＩＤＩ規格データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期されたカラオケ楽曲の歌詞文字データである。なお、歌詞文字データには、歌詞文字の表示色データ、色変わりデータ等が含まれている。映像データベース４４ｂは、演奏されるカラオケ楽曲に対応した背景映像を、当該カラオケ楽曲の楽曲ＩＤに対応させた映像ファイルとして所定数格納したデータベースである。
【００３２】
＜送受信手段＞
送受信手段４５は、カラオケ本体２１とカラオケリモコン装置２２との間で、データの送受信を行うための電子回路及びプログラムからなる。本実施形態では、赤外線通信により、カラオケ本体２１とカラオケリモコン装置２２との間で、データの送受信が行われる。
【００３３】
＜予約管理手段＞
予約管理手段４６は、利用者により楽曲検索手段２２ａの機能を用いて選曲され、送受信手段４５を介して受信した当該選曲者の利用者情報（例えば利用者ＩＤ）及び選曲された楽曲ＩＤを対応付けて予約待ち行列４３ａとしてＲＡＭ４３に格納し、管理するためのプログラムである。なお、楽曲選択の表示や予約待ち行列４３ａの表示は、カラオケリモコン装置２２の入出力表示部（図示せず）及び表示装置２７のいずれか一方、あるいは双方で行うことができる。
【００３４】
＜ログイン利用者管理手段＞
ログイン利用者管理手段４７は、現に当該カラオケ演奏装置１０にログインしている利用者を、利用者ＩＤに基づき特定して管理するためのプログラムからなる。すなわち、ログイン利用者管理手段４７では、利用者ＩＤ取得手段２２ｃにより利用者ＩＤが取得された場合に、この利用者ＩＤに基づいてカラオケ演奏装置１０にログインしている利用者を特定して管理する。取得した利用者ＩＤは、選曲予約楽曲や歌唱映像データの特定を行う際に利用される。すなわち、予約待ち行列４３ａを構成する各データ及び歌唱映像データ４３ｂを構成する各データに利用者ＩＤを紐付けておくことにより、楽曲予約を行った利用者や、撮影対象となった利用者を特定することができる。
【００３５】
＜音楽再生制御手段＞
音楽再生制御手段５３は、楽曲ＩＤに基づいて楽曲データベース４４ａから抽出された演奏データをデジタル再生するとともにアナログ変換してミキシングアンプ２６に出力するための電子回路である。ミキシングアンプ２６は、マイクロホン２４から入力された歌唱者の歌唱音声信号と、音楽再生制御手段５３から送出される演奏音声信号とをミキシングするとともに、アンプ機能により増幅してスピーカ２５より出力させるための装置である。なお、本実施形態では、歌唱音声の録音に歌唱音声信号を利用するため、マイクロホン２４からの歌唱音声信号がＡ／Ｄコンバータ５２へ入力されている。
【００３６】
＜映像再生制御手段＞
映像再生制御手段５４は、カラオケ楽曲の演奏中に、映像データベース４４ｂから抽出した映像データ及び楽曲データベース４４ａから抽出した楽曲データのうちの歌詞テロップデータ（歌詞文字データ）を、当該カラオケ楽曲の演奏データに同期させて表示装置２７に出力するための電子回路である。この際、カラオケ楽曲の演奏進行に従って、歌詞文字が色変わりして表示される。
【００３７】
＜撮影データ受信手段＞
撮影データ受信手段５１は、撮影手段２３からのビデオ信号を受信するための回路基板及びプログラムからなる。
【００３８】
＜歌唱映像作成手段＞
歌唱映像作成手段４８は、撮影手段２３により撮影した歌唱姿態とマイクロホン２４から入力された歌唱音声とカラオケ楽曲の演奏音とからなる歌唱映像データ４３ｂを作成するためのプログラムからなる。すなわち、歌唱映像作成手段４８は、撮影手段２３により撮影され、撮影データ受信手段５１により受信したビデオ信号と、マイクロホン２４から入力され、Ａ／Ｄコンバータ５２によりデジタル変換された音声入力信号と、音楽再生制御手段５３によりデジタル再生された演奏音とを用いて歌唱映像データ４３ｂを作成し、ＲＡＭ４３に記憶する。
【００３９】
ＲＡＭ４３に記憶された歌唱映像データ４３ｂは、図示しないが、インターネット回線を介してサーバに蓄積することによりウェブ配信することができる。また、ＲＡＭ４３に記憶された歌唱映像データ４３ｂをＤＶＤドライブ等の記録装置及び書込ソフトウエアを用いてＤＶＤ等の記憶媒体に記憶してもよい。なお、このような撮影サービスは、カラオケ演奏装置１０を利用したカラオケ楽曲の歌唱という基本サービスに付加するサービスであるため、一般的に有料となっていることが多い。そこで、歌唱映像作成手段４８による歌唱映像データ４３ｂの作成及び記憶は、利用者の指示があった場合のみに行う構成とすることが好ましい。すなわち、利用者がカラオケリモコン装置２２を操作することにより歌唱映像データ４３ｂの作成及び記憶を指示した場合に、歌唱映像作成手段４８の機能により、歌唱映像データ４３ｂの作成及び記憶が行われる。
【００４０】
＜顔画像認識手段＞
顔画像認識手段４９は、撮影した歌唱映像データについて歌唱者の顔画像認識を行って、利用者の顔の隠蔽率を演算するためのプログラムからなる。すなわち、顔画像認識手段４９は、歌唱者の歌唱映像の中から顔画像を識別するとともに、識別した顔画像領域内で、その輪郭、目、鼻、口の位置を利用して、当該顔画像全体に対して隠蔽されている領域の割合を演算する。
【００４１】
歌唱者の顔画像データを識別するためには、例えば、特開２０００−２８３３号公報に記載されているように、エッジ検出により、撮影視野内に存在する画像の輪郭を抽出する。そして、輪郭で囲まれた領域のうち所定の大きさの面積を有する領域を顔画像領域として認識する。続いて、顔画像領域内で、その輪郭、目、鼻、口の位置を利用し、顔画像全体に対して、マイクロホン等により隠蔽されている領域の割合を演算することができる。
【００４２】
＜インデックス画像抽出手段＞
インデックス画像抽出手段５０は、歌唱映像データの中で、利用者の顔の隠蔽率が所定値以下である歌唱姿態の映像をインデックス画像として抽出するためのプログラムからなる。抽出されたインデックス画像は、歌唱映像データ４３ｂと関連付けられてＲＡＭ４３に記憶される。なお、抽出するインデックス画像の枚数に制限はなく、例えば、隠蔽率が基準値以下である歌唱映像画像の中から、隠蔽率が低い順に１枚、２枚、あるいは３枚以上の歌唱映像画像をインデックス画像とすることができる。なお、隠蔽率の基準値は適宜設定可能であるが、特に歌唱者が誰であるのかを認識できる程度の隠蔽率であることを必要とする。
【００４３】
＜表示装置＞
表示装置２７は、カラオケ演奏時の映像、歌詞テロップ、警告メッセージ等を表示するための装置で、例えば、ＣＲＴディスプレイ、液晶ディスプレイ、プラズマディスプレイ等により構成される。
【００４４】
＜インデックス画像の抽出＞
図１及び図２を参照して、本実施形態のインデックス画像作成システムにおいてインデックス画像を抽出する手順を説明する。本実施形態のインデックス画像作成システムでは、カラオケ歌唱映像の撮影モードが選択されると、当該利用者がカラオケ楽曲の歌唱を行う際に、撮影手段２３の機能により歌唱姿態を撮影する。そして、歌唱映像作成手段４８の機能により、撮影した歌唱姿態とマイクロホン２４から入力された歌唱音声とカラオケ楽曲の演奏音とからなる歌唱映像データ４３ｂを作成する。
【００４５】
歌唱映像データ４３ｂが作成されると、顔画像認識手段４９の機能により、撮影した歌唱映像データについて歌唱者の顔画像認識を行う。そして、インデックス画像抽出手段５０の機能により、歌唱映像データの中で、利用者の顔の隠蔽率が所定値以下である歌唱姿態の映像をインデックス画像として抽出し、歌唱映像データ４３ｂに関連付けてＲＡＭ４３に記憶する。例えば、図２（ａ）に示す画像は、歌唱者の顔がマイクロホンで隠れているため顔の隠蔽率が所定値を超えているので、インデックス画像として抽出しない。一方、図２（ｂ）に示す画像は、歌唱者の顔がマイクロホンで隠れていないため顔の隠蔽率が所定値以下となっているためインデックス画像に適しており、この画像をインデックス画像として抽出する。
【００４６】
なお、図２では、インデックス画像の抽出の説明を容易なもとするために、２枚の顔画像を例にとっているが、インデックス画像の抽出対象となる歌唱姿態の映像は３枚以上存在するのが一般的である。また、インデックス画像を複数抽出した場合には、利用者に所望の画像を選択させてもよい。この場合には、カラオケリモコン装置２２にインデックス画像選択手段を設け、カラオケリモコン装置２２の表示画面にインデックス画像をサムネイル表示して、利用者に選択させればよい。
【００４７】
＜他の実施形態＞
本発明のカラオケ歌唱映像のインデックス画像作成システム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００４８】
＜ネットワークカラオケシステム＞
また、上述した実施形態は、カラオケ演奏装置１０をスタンドアロンで使用した例を示しているが、各カラオケ店舗等に設置されたカラオケ演奏装置１０を端末装置とし、インターネット回線等を用いて、端末装置とホスト装置とをネットワーク接続した構成とすることもできる。この場合には、ホスト装置において、利用者ＩＤ等を集中管理することにより、ネットワーク接続された各カラオケ演奏装置１０において同様のサービスを提供することができる。
【符号の説明】
【００４９】
１０  カラオケ演奏装置
２１  カラオケ本体
２２  カラオケリモコン装置
２２ａ  楽曲検索手段
２２ｂ  楽曲索引データベース
２２ｃ  利用者ＩＤ取得手段
２３  撮影手段
２３ａ  撮像レンズ
２３ｂ  撮像素子
２３ｃ  フォーカシング機構
２３ｄ  ズーミング機構
２３ｅ  パン・チルト機構
２４  マイクロホン
２５  スピーカ
２６  ミキシングアンプ
２７  表示装置
３１  ＩＤ媒体
４１  中央制御手段
４２  ＲＯＭ
４３  ＲＡＭ
４３ａ  予約待ち行列
４３ｂ  歌唱映像データ
４４  ＨＤＤ
４４ａ  楽曲データベース
４４ｂ  映像データベース
４５  送受信手段
４６  予約管理手段
４７  ログイン利用者管理手段
４８  歌唱映像作成手段
４９  顔画像認識手段
５０  インデックス画像抽出手段
５１  撮影データ受信手段
５２  Ａ／Ｄコンバータ
５３  音楽再生制御手段
５４  映像再生制御手段
【図１】
2014017570.tif 000003
【図２】
2014017570.tif 000004